(57)【要約】  【課題】  バリエーションのある操作具を自在に取り付けることができ、操作具の交換などを容易にすることができるロールスクリーンを提供する。  【解決手段】  ウエイトバー２０に取り付けられた操作具２８の操作によってスクリーン１８の昇降を行なうようにしたロールスクリーンにおいて、操作具２８は、把持部２８ａと把持部２８ａの上端に取り付けられた可撓性の環状部２８ｂを有し、ウエイトバー２０の操作具ホルダ２４に設けられた貫通孔２４ａに環状部２８ｂを挿通し、導出された環状部２８ｂに把持部２８ａを通過させることによってウエイトバー２０に取り付けられたものとする。【選択図】  図４
2006124949.tif 000002
【特許請求の範囲】
【請求項１】
両端を回転自在に支持された巻取パイプにスクリーンの上端が巻取り及び巻解き可能に連結され、スクリーンの下端にウエイトバーが取り付けられ、ウエイトバーに取り付けられた操作具の操作によってスクリーンが昇降するロールスクリーンにおいて、
操作具は、把持部と把持部の上端に取り付けられた可撓性の環状部を有し、ウエイトバーに設けられた貫通孔に環状部を挿通し、導出された環状部に把持部を通過させることによってウエイトバーに取り付けられたものであることを特徴とするロールスクリーン。
【請求項２】
前記操作具は、携帯機器用ストラップであることを特徴とする請求項１記載のロールスクリーン。
【請求項３】
両端を回転自在に支持された巻取パイプにスクリーンの上端が巻取り及び巻解き可能に連結され、スクリーンの下端にウエイトバーが取り付けられ、ウエイトバーに取り付けられた操作具の操作によってスクリーンが昇降するロールスクリーンにおいて、
ウエイトバーには貫通孔が設けられ、貫通孔には操作具である携帯機器用ストラップが取付可能となっていることを特徴とするロールスクリーン。
【請求項４】
前記ウエイトバーには突出部が設けられ、該突出部に前記貫通孔が形成されることを特徴とする請求項１ないし３のいずれか１項に記載のロールスクリーン。
【請求項５】
前記ウエイトバーに設けられる貫通孔は、その両端が表面に露出されることを特徴とする請求項１ないし４のいずれか１項に記載のロールスクリーン。
【請求項６】
両端を回転自在に支持された巻取パイプにスクリーンの上端を巻取り及び巻解き可能に連結され、スクリーンの下端にウエイトバーが取り付けられ、ウエイトバーに取り付けられた操作具の操作によってスクリーンが昇降するロールスクリーンの操作具の取付方法であって、
操作具は、把持部と把持部の上端に取り付けられた可撓性の環状部を有しており、
ウエイトバーに設けられた貫通孔に前記環状部を挿通し、貫通孔を導出された環状部に把持部を通過させることによってウエイトバーに操作具を取り付けることを特徴とするロールスクリーンの操作具の取付方法。
【発明の詳細な説明】
【技術分野】
【０００１】
本発明は、ロールスクリーン及びロールスクリーンの操作具の取付方法に関し、特に操作具の取り付けが簡単で、その交換も簡単に行なうことができるロールスクリーン及びロールスクリーンの操作具の取付方法に関する。
【背景技術】
【０００２】
従来、操作具が取付自在となったロールスクリーンとしては、特許文献１（特開２００２-２２７５７０号公報）に記載されたものが知られている。この特許文献によれば、ウエイトバーに脱着可能な止め具からなる引き手において、止め具は、軸部と、軸部の上端から直径方向に延長して湾曲する両腕部と、軸部の下端から両腕部に直交する方向に延長する両脚部と、これらを上下に貫通する軸孔から形成される。プルコードの上端部が止め具の軸孔に、下端部がつまみの軸孔にそれぞれ挿入されて、結び目が形成されて、プルコードが止め具とつまみにそれぞれ抜け止めされる。そして、止め具は、ウエイトバーに形成される下スリットに挿入して４分の１回転すると、両腕部がウエイトバー内の隔壁と下スリットの両壁部の間に弾性的に挟持されるようになっており、ウエイトバーに脱着可能となっている。また、止め具はウエイトバーに取り付けられたプルグリップに同様の方法で脱着することもできる。
【０００３】
【特許文献１】特開２００２−２２７５７０号公報
【発明の開示】
【発明が解決しようとする課題】
【０００４】
しかしながら、上記従来のロールスクリーンの操作装置では、プルコードやプルリングなどの異なる操作具を、共通の止め具を介してウエイトバーに工具を使用せずに脱着することができるが、プルコードやプルリングは専用部品であり、そのバリエーションには限度がある。バリエーションを増加させるために、多数の種類のプルコードやプルリングを用意すると部品管理負担が増加し、コストがかかるという問題がある。また、止め具に形成された貫通孔の一端がウエイトバー内に挿入された状態で固定されるため、操作具の構成が限定されて、操作具を取り付けにくい、という問題がある。
【０００５】
本発明はかかる課題に鑑みなされたもので、バリエーションのある操作具を自在に取り付けることができ、操作具の交換などを容易にすることができるロールスクリーン及びロールスクリーンの操作具の取付方法を提供することをその目的とする。
【課題を解決するための手段】
【０００６】
前述した目的を達成するために、請求項１記載の発明は、両端を回転自在に支持された巻取パイプにスクリーンの上端が巻取り及び巻解き可能に連結され、スクリーンの下端にウエイトバーが取り付けられ、ウエイトバーに取り付けられた操作具の操作によってスクリーンが昇降するロールスクリーンにおいて、
操作具は、把持部と把持部の上端に取り付けられた可撓性の環状部を有し、ウエイトバーに設けられた貫通孔に環状部を挿通し、導出された環状部に把持部を通過させることによってウエイトバーに取り付けられたものであることを特徴とする。
【０００７】
請求項２記載の発明は、請求項1記載の前記操作具が、携帯機器用ストラップであることを特徴とする。
【０００８】
請求項３記載の発明は、両端を回転自在に支持された巻取パイプにスクリーンの上端が巻取り及び巻解き可能に連結され、スクリーンの下端にウエイトバーが取り付けられ、ウエイトバーに取り付けられた操作具の操作によってスクリーンが昇降するロールスクリーンにおいて、
ウエイトバーには貫通孔が設けられ、貫通孔には操作具である携帯機器用ストラップが取付可能となっていることを特徴とする。
【０００９】
請求項４記載の発明は、請求項１ないし３のいずれか１項に記載のものにおいて、前記ウエイトバーに突出部が設けられ、該突出部に前記貫通孔が形成されることを特徴とする。
【００１０】
請求項５記載の発明は、請求項１ないし４のいずれか１項に記載のものにおいて、前記ウエイトバーに設けられる貫通孔が、その両端が表面に露出されることを特徴とする。
【００１１】
請求項６記載の発明は、両端を回転自在に支持された巻取パイプにスクリーンの上端を巻取り及び巻解き可能に連結され、スクリーンの下端にウエイトバーが取り付けられ、ウエイトバーに取り付けられた操作具の操作によってスクリーンが昇降するロールスクリーンの操作具の取付方法であって、
操作具は、把持部と把持部の上端に取り付けられた可撓性の環状部を有しており、
ウエイトバーに設けられた貫通孔に前記環状部を挿通し、貫通孔を導出された環状部に把持部を通過させることによってウエイトバーに操作具を取り付けることを特徴とする。
【発明の効果】
【００１２】
本発明によれば、環状部と把持部とを有する操作具をウエイトバーに取り付けることができ、その取り付けとしては、環状部をウエイトバーの貫通孔に挿通して、導出された環状部に把持部を通過させるなどの方法で簡単に行なうことができるので、操作部の取り付けが自在であり、且つ操作部の交換も容易に行なうことができる。環状部と把持部とを有するものを操作具として使用することにより、低コストでバリエーションを持たせることができる。
【００１３】
または、操作具として携帯機器用ストラップとすれば、汎用品であり、バリエーションのある操作具とすることができる。
【００１４】
ウエイトバーの突出部に貫通孔が形成されることにより、貫通孔に簡単に操作具または携帯機器用ストラップの環状部を挿入することができ、簡単に操作具の取り付け及び交換を行なうことができる。
【００１５】
また、貫通孔の両端が表面に露出することにより、貫通孔に操作具または携帯機器用ストラップの環状部を挿入することができ、簡単に操作具の取り付け及び交換を行なうことができる。
【発明を実施するための最良の形態】
【００１６】
以下、図面を用いて本発明の実施の形態を説明する。
【００１７】
図１は、本発明の実施形態にかかるロールスクリーンの全体図である。ロールスクリーン１０は、窓枠等にブラケット１１により取り付けられるセットフレーム１２の両端に取り付けられた一対のサイドプレート１４を有しており、一対のサイドプレート１４に巻取パイプ１６の両端が回転可能に支持されている。巻取パイプ１６には、スクリーン１８の上端が巻取り及び巻解き可能に連結される。スクリーン１８の下端には、ウエイトバー２０が取り付けられ、スクリーン１８の下端は、ウエイトバー２０の本体２２を周回して縫製されている。
【００１８】
ウエイトバー２０の本体２２の後面には、スクリーン１８を介して後方へ突出する突出部としての操作具ホルダ２４が取り付けられる。
【００１９】
操作具ホルダ２４は、その中央部に上下方向に貫通する貫通孔２４ａが形成されると共に、貫通孔２４ａの両側に、水平方向に貫通する取付孔２４ｂが形成される。そして、取付孔２４ｂを貫通してウエイトバー２０の本体２２のネジ孔２２ａに螺合するネジ２６によって、操作具ホルダ２４は本体２２の幅方向中央部に固定される（図３参照）。
【００２０】
操作具ホルダ２４には、操作具２８が取り付けられる。操作具２８は、汎用の携帯機器用ストラップとすることができ、装飾部を兼ねた把持部２８ａと、把持部２８ａの上端に取り付けられた紐のような可撓性の材質からなる環状部２８ｂと、を有している。
【００２１】
この操作具２８を操作具ホルダ２４に取り付ける手順は、図４に示したように、まず、その環状部２８ｂを操作具ホルダ２４の貫通孔２４ａに挿通し（図４（ａ））、貫通孔２４ａを挿通して導出された環状部２８ｂの先行部２８ｂ１のループに、把持部２８ａを通過させ（図４（ｂ））、把持部２８ａを下方へと引き出せば、環状部２８ｂが貫通孔２４ａの周囲で固定され（図４（ｃ））、操作具２８が取り付けられる。
【００２２】
操作具２８の操作方法は、公知の任意のロールスクリーンと同様である。即ち、操作具２８の把持部２８ａを持ってスクリーン１８を下方へと引き下げることにより、スクリーン１８を下降させることができ、また、スクリーン１８を少し下降させた後、スクリーン１８へ作用する力を解除すると、巻取パイプ１６に内蔵されるリターンスプリングによってスクリーン１８を上昇させることができる。
【００２３】
この操作具２８は、ユーザが好みの任意の操作具を使用することができ、自在にウエイトバー２０に取り付けて、適宜交換可能となっている。汎用の携帯機器用ストラップは、近年、多種多様な把持部を有するものが出回っているので、ユーザの好みに合わせたものを操作具として使用することができる。従来の携帯機器用ストラップは、装飾用または把持用の機能しかないが、本実施形態では、操作用としての機能を持たせている点で、従来にない斬新な携帯機器用ストラップの使用となっている。
【００２４】
操作具ホルダ２４の貫通孔２４ａは、常時、その両端が表面に露出しているために、操作具２８の取り付け及び取り外し作業は非常に簡単であり、その環状部２８ｂの貫通孔２４ａへの挿通を簡単に行なうことができる。それにも拘わらず、操作具ホルダ２４は、スクリーン１８の後面側に突出しているために、正面から取り付け部分は見えず、見栄えを悪化させることはない。
【００２５】
尚、この実施形態では、ウエイトバー２０が本体２２と操作具ホルダ２４とからなっていたが、これに限るものではなく、一体品で構成してもよく、または３点以上の部品から構成することも可能である。
【図面の簡単な説明】
【００２６】
【図１】本発明の実施形態にかかるロールスクリーンの全体正面図である。
【図２】図１のロールスクリーンの側面図である。
【図３】図１のロールスクリーンのウエイトバーの中央部の分解斜視図である。
【図４】操作具を取り付ける手順を表す部分側面図である。
【符号の説明】
【００２７】
１０  ロールスクリーン
１６  巻取パイプ
１８  スクリーン
２０  ウエイトバー
２４  操作具ホルダ（突出部）
２４ａ  貫通孔
２８  操作具
２８ａ  把持部
２８ｂ  環状部
【図１】
2006124949.tif 000003
【図２】
2006124949.tif 000004
【図３】
2006124949.tif 000005
【図４】
2006124949.tif 000006